【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
水及び酸基含有ポリマーの存在で、水溶性カルシウム化合物と水溶性硫酸塩化合物とを反応することによって硫酸カルシウム二水和物を製造するための方法であって、酸基含有ポリマーが、構造単位（Ｉ）
【化１】
2015524378.tif 000001
［式中、
*は、酸基含有ポリマーへの結合部位を示し、
Ｕは、化学結合又は炭素原子１〜８個を有するアルキレン基を示し、
Ｘは、酸素又はＮＲ1基であり、
ｋは、０又は１であり
ｎは、酸基含有ポリマーに対して、３〜３００個の範囲での平均の整数であり、
Ａｌｋは、Ｃ2〜Ｃ4−アルキレンであり、ここで、Ａｌｋは、（Ａｌｋ−Ｏ）n基と同一又は異なってよく、
Ｗは、水素、Ｃ1〜Ｃ6−アルキル基又はアリール基であり、又はＹ−Ｆ基であり、ここで
Ｙは、炭素原子２〜８個を有し、フェニル環を有してよい直鎖又は分岐鎖のアルキレン基であり、
Ｆは、環員として、窒素原子及び炭素原子と同様に、酸素、窒素及び硫黄から選択される１個、２個又は３個の追加のヘテロ原子を有してよい、窒素が結合した５〜１０員環の窒素複素環であり、ここで、窒素環員はＲ2基を有してよく、かつ１個又は２個の炭素環員はカルボニル基の形であってよく、
Ｒ1は、水素、Ｃ1〜Ｃ4−アルキル又はベンジルであり、かつ
Ｒ2は、水素、Ｃ1〜Ｃ4−アルキル又はベンジルである］
のポリエーテル基を含むことを特徴とする、前記方法。
【請求項２】
前記ポリマーの酸基が、カルボキシル基、ホスホノ基、スルフィノ基、スルホ基、スルファミド基、スルホキシ基、スルホアルキルオキシ基、スルフィノアルキルオキシ基及びホスホノオキシ基の群からの少なくとも１つであることを特徴とする、請求項１に記載の方法。
【請求項３】
前記酸基含有ポリマーが、
（ＩＩ）  芳香族又はヘテロ芳香族系及び式（Ｉ）のポリエーテル基を有する構造単位、並びに
（ＩＩＩ）  芳香族又はヘテロ芳香族系を有するリン酸化構造単位
を含む重縮合生成物であることを特徴とする、請求項１に記載の方法。
【請求項４】
前記構造単位（ＩＩ）及び（ＩＩＩ）が、次の一般式
【化２】
2015524378.tif 000002
［式中、
Ａは、同一又は異なり、かつ芳香族系において炭素原子５〜１０個を有する、置換又は非置換の芳香族化合物又はヘテロ芳香族化合物によって示され、ここで、他の基は、構造単位（Ｉ）について定義したものである］
【化３】
2015524378.tif 000003
［式中、
Ｄは、同一又は異なり、かつ芳香族系において炭素原子５〜１０個を有する、置換又は非置換の芳香族化合物又はヘテロ芳香族化合物によって示され、
Ｅは、同一又は異なり、かつＮ、ＮＨ又はＯによって示され、
Ｅ＝Ｎの場合にｍ＝２であり、かつＥ＝ＮＨ又はＯの場合にｍ＝１であり、
Ｒ3及びＲ4は、同一又は異なり、かつ互いに独立して、分岐又は非分岐Ｃ1〜Ｃ10−アルキル基、Ｃ5〜Ｃ8−シクロアルキル基、アリール基、ヘテロアリール基、Ｈによって示され、
ｂは、同一又は異なってよく、かつ０〜３００の整数によって示される］
によって示されることを特徴とする、請求項３に記載の方法。
【請求項５】
前記重縮合生成物が、以下の式
【化４】
2015524378.tif 000004
［式中、
Ｙは、同一又は異なり、かつ独立して、（ＩＩ）、（ＩＩＩ）、又は他の重縮合生成物の構成物によって示される］
によって示される他の構造単位（ＩＶ）を含むことを特徴とする、請求項３又は４に記載の方法。
【請求項６】
前記酸基含有ポリマーが、
（Ｖ）カルボン酸、カルボン酸塩、カルボン酸エステル、カルボキサミド、カルボン酸無水物及びカルボキシミドの群からの少なくなくとも１つの基を含むエチレン性不飽和モノマーの少なくとも１つ
並びに
（ＶＩ）構造単位（Ｉ）のポリエーテル基を有するエチレン性不飽和モノマーの少なくとも１つ
を含有するモノマーの混合物を重合することによって得られる少なくとも１つのコポリマーであることを特徴とする、請求項１に記載の方法。
【請求項７】
前記エチレン性不飽和モノマー（Ｖ）が、基（Ｖａ）、（Ｖｂ）及び（Ｖｃ）からの以下の一般式：
【化５】
2015524378.tif 000005
［式中、
Ｒ7及びＲ8は、互いに独立して、水素、又は炭素原子１〜２０個を有する脂肪族ヒドロカルビル基であり、
Ｂは、Ｈ、−ＣＯＯＭa、−ＣＯ−Ｏ（ＣqＨ2qＯ）r−Ｒ9、−ＣＯ−ＮＨ−（ＣqＨ2qＯ）r−Ｒ9であり、
Ｍは、水素、１価又は２価の金属カチオン、アンモニウムイオン又は有機アミン基であり、
ａは、１／２又は１であり、
Ｒ9は、水素、炭素原子１〜２０個を有する脂肪族ヒドロカルビル基、炭素原子５〜８個を有する脂環式ヒドロカルビル基、置換されていてもよい炭素原子６〜１４個を有するアリール基であり、
それぞれ（ＣqＨ2qＯ）単位についてのｑは、同一又は異なり、かつ独立して２、３又は４であり、
ｒは、０〜２００であり、
Ｚは、Ｏ、ＮＲ3である］
【化６】
2015524378.tif 000006
［式中、
Ｒ10及びＲ11は、互いに独立して、水素、又は炭素原子１〜２０個を有する脂肪族ヒドロカルビル基、炭素原子５〜８個を有する脂環式ヒドロカルビル基、置換されていてもよい炭素原子６〜１４個を有するアリール基であり、
Ｒ12は、同一又は異なり、かつ（ＣnＨ2n）−ＳＯ3Ｈ［式中ｎ＝０、１、２、３又は４である］、（ＣnＨ2n）−ＯＨ［式中ｎ＝０、１、２、３又は４である］；（ＣnＨ2n）−ＰＯ3Ｈ2［式中ｎ＝０、１、２、３又は４である］、（ＣnＨ2n）−ＯＰＯ3Ｈ2［式中ｎ＝０、１、２、３又は４である］、（Ｃ6Ｈ4）−ＳＯ3Ｈ、（Ｃ6Ｈ4）−ＰＯ3Ｈ2、（Ｃ6Ｈ4）−ＯＰＯ3Ｈ2及び（ＣnＨ2n）−ＮＲ14b［式中ｎ＝０、１、２、３又は４であり、ｂ＝２又は３である］によって示され、
Ｒ13は、Ｈ、−ＣＯＯＭa、−ＣＯ−Ｏ（ＣqＨ2qＯ）r−Ｒ9、−ＣＯ−ＮＨ−（ＣqＨ2qＯ）r−Ｒ9であり、Ｍa、Ｒ9、ｑ及びｒはそれぞれ前記で定義したものであり、
Ｒ14は、水素、炭素原子１〜１０個を有する脂肪族ヒドロカルビル基、炭素原子５〜８個を有する脂環式ヒドロカルビル基、置換されていてもよい炭素原子６〜１４個を有するアリール基であり、
Ｑは、同一又は異なってよく、かつＮＨ、ＮＲ15又はＯによって示され、ここでＲ15は、炭素原子１〜１０個を有する脂肪族ヒドロカルビル基、炭素原子５〜８個を有する脂環式ヒドロカルビル基、又は置換されていてもよい炭素原子６〜１４個を有するアリール基である］
の少なくとも１つによって示されることを特徴とする、請求項６に記載の方法。
【請求項８】
前記エチレン性不飽和モノマー（ＶＩ）が、次の一般式
【化７】
2015524378.tif 000007
によって示され、それぞれの基が前記で定義したものであることを特徴とする、請求項６又は７に記載の方法。
【請求項９】
硫酸カルシウム二水和物に対して、０．００５〜１００質量％の酸基含有ポリマーを使用することを特徴とする、請求項１から８までのいずれか１項に記載の方法。
【請求項１０】
第一の工程において、水溶性硫酸塩化合物を、水と酸基含有ポリマーと混合して、続いて第二の工程において、水溶性カルシウム化合物を添加することを特徴とする、請求項１から９までのいずれか１項に記載の方法。
【請求項１１】
前記水溶性カルシウム化合物及び水溶性硫酸塩化合物を、次の濃度：
ｉ）  ０．１〜６ｍｏｌ／ｌの硫酸塩化合物、
ｉｉ）  ０．１〜１０ｍｏｌ／ｌのカルシウム化合物
で水溶液として使用することを特徴とする、請求項１から１０までのいずれか１項に記載の方法。
【請求項１２】
請求項１から１１までのいずれか１項に記載の方法により製造可能な硫酸カルシウム二水和物。
【請求項１３】
水及び酸基含有ポリマーの存在で、水溶性カルシウム化合物と水溶性硫酸塩化合物との反応によって製造した硫酸カルシウム二水和物の、石こうボードを製造するための使用。
【請求項１４】
石こうボードの製造において使用した硫酸カルシウム半水塩に対して、請求項１から１１までのいずれか１項に記載の硫酸カルシウム二水和物の０．０００１〜１質量％を使用することを特徴とする、石こうボードの製造方法。
【請求項１５】
石こうボードの製造のために使用した石こうスラリーを、厚紙シートへの適用後まで硫酸カルシウム二水和物と接触させず、その際硫酸カルシウム二水和物を水性懸濁液の形で使用することを特徴とする、請求項１４に記載の方法。